(57)【要約】【課題】防虫剤の有効期限が切れたことを検知して、使用者に報知する。【解決手段】無線ＩＣタグ２１ａの情報を読み取る読取手段２と、記憶手段５と、時計手段３と、報知手段６と、それらの制御手段４とを具備した衣類収納庫１において、防虫剤２０ａに添付されている無線ＩＣタグ２１ａから、タグの情報を読取手段２で読み取り、記憶手段５にタグが記憶されていないことを検知したときに、記憶手段５にタグの情報と、時計手段３の情報に所定値を加えて算出した有効期限に関する情報とを記憶させ、有効期限に関する情報と時計手段３の情報とが一致した時に、その旨を報知手段６から報知する。【選択図】図１
2008237459.tif 000002
【特許請求の範囲】
【請求項１】
無線ＩＣタグの情報を読み取る読取手段と、記憶手段と、時計手段と、報知手段と、それらの制御手段とを具備した衣類収納庫において、
防虫剤に添付されている無線ＩＣタグから、タグの情報を前記読取手段で読み取り、前記記憶手段に前記タグが記憶されていないことを検知したときに、
前記記憶手段に前記タグの情報と、前記時計手段の情報に所定値を加えて算出した有効期限に関する情報とを記憶させ、
前記有効期限に関する情報と前記時計手段の情報とが一致した時に、その旨を前記報知手段から報知する衣類収納庫。
【請求項２】
前記記憶手段に記憶されていない新たな防虫剤のタグの情報を検知したときに、
既に前記記憶手段に記憶済みのタグの情報があって、その前記記憶済みのタグの情報の防虫剤が有効期限中である場合には、前記記憶済みの防虫剤と新たな防虫剤とで重複して使用する旨を前記報知手段から報知する請求項１記載の衣類収納庫。
【請求項３】
前記時計手段の情報に加えるべき前記所定値に関する情報が前記無線ＩＣタグに記憶されている請求項１〜２のいずれか記載の衣類収納庫。
【請求項４】
前記防虫剤の出し入れを行うための開口部と、前記開口部を閉じるための扉と、前記扉の開閉状態を検知する開閉スイッチとを具備して、
前記扉が閉じられた時点で、前記読取手段で前記無線ＩＣタグの情報を読み取る請求項１〜３のいずれか記載の衣類収納庫。
【請求項５】
前記衣類収納庫と前記扉とを電磁波遮断物質で構成した、あるいは、覆った請求項４記載の衣類収納庫。
【請求項６】
請求項１〜４のいずれか１項に記載の前記衣類収納庫の少なくとも一部をコンピュータに実行させるためのプログラム。
【発明の詳細な説明】
【技術分野】
【０００１】
本発明は、無線ＩＣタグを利用して防虫剤を効率的に管理する衣類収納庫と、そのプログラムに関するものである。
【背景技術】
【０００２】
近年、無線ＩＣタグ（非接触ＩＣタグ）を物品に貼り付けておき、無線ＩＣタグ読み取り／書込み手段を収納庫に設置して在庫管理を行うことが行なわれており、更には収納庫内の環境情報を無線ＩＣタグに書き込んで保存状態を記憶する方式が提案されている（例えば、特許文献１参照）。
【特許文献１】特開２００６−３１６５２５号公報
【発明の開示】
【発明が解決しようとする課題】
【０００３】
しかしながら、前記従来の構成は、物品管理といった用途であって、その用途に適した情報が無線ＩＣタグに記憶されていることが前提となっているが、一般家庭では、流通の過程で添付された無線ＩＣタグがそのまま持ち込まれることになるので、必要とする情報が必ずしも記憶されているとは限らない。
【０００４】
例えば、防虫剤のように有効期限切れのまま放置しておくと、大切な衣類が虫に食われてしまい、その時点で初めて、防虫剤の有効期限切れに気がついて後悔するといったトラブルはありがちなことであるが、トラブルを未然に防ぐために使用者に注意を喚起するといった生活上の不便さを解消するようなことは提案されていない。
【０００５】
そして、防虫剤に添付される無線ＩＣタグには防虫剤の有効期限に関する情報が含まれているとは限らない。
【課題を解決するための手段】
【０００６】
そこで、前記従来の課題を解決するために、無線ＩＣタグの情報を読み取る読取手段と、記憶手段と、時計手段と、報知手段と、それらの制御手段とを具備した衣類収納庫において、防虫剤に添付されている無線ＩＣタグから、タグの情報を前記読取手段で読み取り、前記記憶手段に前記タグが記憶されていないことを検知したときに、前記記憶手段に前記タグの情報と、前記時計手段の情報に所定値を加えて算出した有効期限に関する情報とを記憶させ、前記有効期限に関する情報と前記時計手段の情報とが一致した時に、その旨を前記報知手段から報知するようにした。
【発明の効果】
【０００７】
これにより、流通の過程で添付された無線ＩＣタグがそのまま持ち込まれて必要とする情報が記憶されていなくても、使用開始からの有効期限を自動的に算出して、有効期限が近づくと報知するので、例えば、防虫剤においては、有効期限切れのまま放置させないようにするので、大切な衣類が虫に食われて後悔するといったことを回避し、あるいは、トラブルを未然に防ぐために使用者に注意を喚起するといった生活上の不便さを解消することが出来る。
【発明を実施するための最良の形態】
【０００８】
第１の発明は、本発明の衣類収納庫において、無線ＩＣタグの情報を読み取る読取手段と、記憶手段と、時計手段と、報知手段と、それらの制御手段とを具備した衣類収納庫において、防虫剤に添付されている無線ＩＣタグから、タグの情報を前記読取手段で読み取
り、前記記憶手段に前記タグが記憶されていないことを検知したときに、前記記憶手段に前記タグの情報と、前記時計手段の情報に所定値を加えて算出した有効期限に関する情報とを記憶させ、前記有効期限に関する情報と前記時計手段の情報とが一致した時に、その旨を前記報知手段から報知するようにした。
【０００９】
これにより、流通の過程で添付された無線ＩＣタグがそのまま持ち込まれて必要とする情報が記憶されていなくても、使用開始からの有効期限を自動的に算出して、有効期限が近づくと報知するので、例えば、防虫剤においては、有効期限切れのまま放置させないようにするので、大切な衣類が虫に食われて後悔するといったことを回避し、あるいは、トラブルを未然に防ぐために使用者に注意を喚起するといった生活上の不便さを解消することが出来る。
【００１０】
第２の発明は、特に第１の発明において、前記記憶手段に記憶されていない新たな防虫剤のタグの情報を検知したときに、既に前記記憶手段に記憶済みのタグの情報があって、その記憶済みの前記タグの情報の防虫剤が有効期限中である場合には、前記記憶済みの防虫剤と新たな防虫剤とで重複して使用する旨を前記報知手段から報知するようにした。
【００１１】
これにより、有効期限が残っているにもかかわらず、新しい防虫剤と交換されそうになった時には、その旨を報知するので、無駄が無く防虫剤が使用可能となる。
【００１２】
第３の発明は、特に第１〜２のいずれかの発明において、前記時計手段の情報に加えるべき所定値に関する情報が前記無線ＩＣタグに記憶されているようにした。
【００１３】
これにより、防虫剤ごとに有効期限が異なる場合でも、その防虫剤に応じて最適な有効期限設定が可能となり、利便際が向上した。
【００１４】
第４の発明は、特に第１〜３のいずれかの発明の衣類収納庫において、前記防虫剤の出し入れを行うための開口部と、前記開口部を閉じるための扉と、前記扉の開閉状態を検知する開閉スイッチとを具備して、前記扉が閉じられた時点で、前記読取手段で無線ＩＣタグの情報を読み取って前記報知手段から報知するようにした。
【００１５】
これにより、防虫剤の出し入れのために扉の開け閉めを行なった後に、衣類収納庫の中に存在する防虫剤に添付された無線ＩＣタグの情報を読み取るので、衣類収納庫の中の防虫剤に変化があった可能性があるときにだけ、無線ＩＣタグより情報を読み取ることが出来る。
【００１６】
第５の発明は、特に第４の発明において、前記衣類収納庫と前記扉とを電磁波遮断物質で構成した、あるいは、覆った。
【００１７】
これにより、衣類収納庫の庫外に存在する防虫剤に添付された無線ＩＣタグの情報を読み取るというミスをおこすことがなくなり、常に衣類収納庫の中に存在している無線ＩＣタグより情報を読み取ることが出来る。
【００１８】
第６の発明は、特に第１〜４の発明のいずれかにおいて、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記憶媒体に記憶あるいは、通信回線を用いてプログラム配信することにより、プログラム配布が他の手段に比べて極めて簡単に実現できる。
【００１９】
以下、本発明の実施の形態について、図面を用いて実施形態について詳細に説明するが、この実施の形態によって本発明が限定されるものではない。
【００２０】
（実施の形態１）
ここでは、無線ＩＣタグ２１ａには、個別の無線ＩＣタグ２１ａごとに、タグの情報として、それぞれを区別できるようなＩＤ情報が記憶されている場合について、図１と、図２とを用いて説明していく。
【００２１】
まず、最初に、ここでいうところのＩＤ情報とは、例えば９６ビット〜１２８ビット長のバイナリコードであって、それだけでは意味を持たないが、物品ごとにコードが異なり、同じ種類の物品であっても、コードが異なることを想定している。
【００２２】
図１は本発明の衣類収納庫の構成一例を示す図である。
【００２３】
図１において、衣類収納庫１は、無線ＩＣタグ２１ａから情報を読み取るための読取手段２と、日付時刻情報を発生する時計手段３と、全体を制御する制御手段４と、情報を記憶する記憶手段５と、使用者にさまざまな報知をおこなう報知手段６と、開閉スイッチ７と、防虫剤や衣類などを出し入れするための開口部８と、開口部を閉じるための扉９とを具備している。
【００２４】
防虫剤２０ａには、無線ＩＣタグ２１ａが添付されており、その無線ＩＣタグ２１ａには、少なくとも防虫剤２０ａを個別に区別できるＩＤ情報が記憶されている。
【００２５】
このＩＤ情報を読取手段２で読み取り、その読み取ったＩＤ情報を制御手段４にて処理して、内容に応じて報知手段６より報知を行うことになるが、これから以降では、図２を用いて処理の流れについて説明していく。
【００２６】
図２は本発明の衣類収納庫の処理の流れを示す図である。
【００２７】
図２において、扉９が開かれたかどうかを、開閉スイッチ７により検知して、扉９が開かれた後に、閉じられたとき（ステップ３１）、読取手段２で防虫剤２０ａに添付された無線ＩＣタグ２１ａから情報を読み取る。
【００２８】
例えば、図１に示すように、防虫剤２０ａと、無線ＩＣタグ２１ａが衣類収納庫１の庫内に初めて収納された場合には、まだ記憶手段５には何も記憶されていない。
【００２９】
次に、無線ＩＣタグ２１ａの情報を読取手段２で読み取り（ステップ３２）、その無線ＩＣタグ２１ａの情報は、上述したように、まだ記憶手段５には記憶されていないので（ステップ３３）、その情報を記憶手段５に記憶する（ステップ３４）。
【００３０】
次に、時計手段３より、その時点での日付時刻情報を取得して、先ほどの無線ＩＣタグ２１ａの情報に加えて、記憶手段５に記憶させておく（ステップ３５）。
【００３１】
さらに、この日付時刻情報に一定の期間（例えば３ヶ月）を加えた日付時刻を有効期限として算出して（ステップ３６）、この有効期限情報も記憶手段５に記憶させておく（ステップ３６）。
【００３２】
ここで一定の期間として、防虫剤に共通する期間（例えば３ヶ月）としても良いが、もし、無線ＩＣタグ２１ａの情報を基に、インターネット接続して、メーカなどが用意したサーバーから、ＩＤ情報に対応した詳細情報を取得して、添付された防虫剤２０ａの有効
期限に関する情報（例えば１ヶ月しか持たない）が詳細情報に含まれているようであれば、その情報と、時計手段３との日付時刻情報とから、防虫剤２０ａに最適な有効期限を算出して、記憶手段５に記憶することもできる。
【００３３】
これにより、防虫剤２０ａに固有の、より正確な有効期限が求められることになる。
【００３４】
次に、扉９が開かれるまで待機しておき（ステップ３７）、扉９が開かれた時点で（ステップ３７）、記憶手段５に記憶されている有効期限に関する情報と、時計手段３から得られた、その時点での日付時刻情報とを比較して、有効期限を過ぎてしまっているようであれば（ステップ３８）、報知手段６より使用者に対して防虫剤２０ａの有効期限が切れていることを報知する（ステップ３９）。
【００３５】
なお、報知を行い、使用者が新しい防虫剤２０ａと、それに添付された無線ＩＣタグ２１ａを持ち込んだ場合には、まったく別のＩＤ情報が得られ、新しい防虫剤に交換されたと判断して、ステップ３１から同様に登録、有効期限の確認、報知を行うといった流れになるが、ここまでの説明と同じであるので説明を省略する。この実施の形態１での要点は、唯一無二のユニークなＩＤ情報を用いることで、異なるＩＤ情報の防虫剤を検知することで、防虫剤が交換されたことを知るという点である。
【００３６】
なお、有効期限に関する報知内容であるが、単に異常を知らせるだけのブザー音のようなものであっても構わないが、いろいろな手法で使用者に注意を促すことが効果的である。
【００３７】
例えば、音だけでなく、音声や光、振動、文字表示板の文字情報のいずれか、あるいは、それらの組み合わせにより報知することが好ましい。
【００３８】
無線ＩＣタグ２１ａの情報を基に、インターネット接続して、メーカなどが用意したサーバーから、ＩＤ情報に対応した詳細情報を取得して、その詳細情報に、防虫剤２０ａに関するさまざまな情報（例えば、メーカ名、品名）が含まれていて、それらを含む情報を報知手段６より、どのようなメーカ名のどういった品名の防虫剤の有効期限が切れているのかといったこともあわせて報知することも可能であり、さらに利便性が向上する。
【００３９】
もちろん、記憶手段５に記憶されている、初めて衣類収納庫１に収納された時期（すなわち防虫剤２０ａを使用し始めた時期）に関する情報を、共に報知することも可能である。
【００４０】
あるいは、有効期限が切れていなくても、有効期限が近づいたころ（例えば有効期限の１週間前に）、そろそろ有効期限が切れますよといった予告をおこなってももちろん構わない。
【００４１】
なお、記憶済みの防虫剤がまだ有効期限に達していないにもかかわらず、新しい防虫剤（登録されていない新しいＩＤ情報）が検出された時には、有効期限前に防虫剤を交換しようとしている旨を報知して、使用者に注意を促すといったことも考えられ、無駄なく防虫剤を使用することが可能になる。
【００４２】
図２には示していないが、読み取れる無線ＩＣタグ２１ａがまったく無かった場合には、大至急に防虫剤２０ａを入れるように、警告するような報知を行うことも可能であり、大切な衣類を守るために、有効な手法である。
【００４３】
また、無線ＩＣタグ２１ａに、それが添付されている防虫剤２０ａが対応可能な収納庫
の最大容量に関する情報が記憶されており、衣類収納庫１の容量が予め入力されて判明している場合には、両者を比較して、例えば防虫剤をもっと追加するような報知を行うといったことも、大切な衣類を守るために有効な手法である（図示せず）。
【００４４】
また、逆に衣類収納庫１の容量を著しく超えた（例えば１０倍の容量の）防虫剤２０ａが検出されたような場合には、防虫剤の入れすぎであり、かえって衣類を傷める恐れもあるため、その旨を報知して、必要充分な防虫剤の使用を促すといった使い方も考えられる（図示せず）。
【００４５】
（実施の形態２）
次に、実施の形態１とは異なり、無線ＩＣタグには、個別の無線ＩＣタグごとに、タグの情報として、それぞれを区別できるようなＩＤ情報が記憶されておらず、単なる製品種別情報だけが記憶されている場合について、図３と、図４とを用いて説明していく。
【００４６】
ここでいうところの無線ＩＣタグが記憶している製品種別情報とは、実施の形態１と同様、例えば９６ビット〜１２８ビット長のバイナリコードであって、それだけでは意味を持たない点までは同様であるが、同じ種類の物品であれば、同じコードが用いられているという点が、実施の形態１と大きく異なる点である。
【００４７】
すなわち、無線ＩＣタグには、（唯一無二の）個別ＩＤ情報ではなくて、単なる製品種別情報だけが記憶されているので、防虫剤を入れ替えた場合でも、無線ＩＣタグから読み出せる情報は、同じであり、実施の形態１とは異なる方法で、防虫剤２０ｂと、無線ＩＣタグ２１ｂとが取り替えられたことを検知している。
【００４８】
図３は本発明の衣類収納庫の構成一例を示す図である。
【００４９】
図３は図１とほとんど同じであるが、防虫剤２０ｂに添付されている無線ＩＣタグ２１ｂだけが異なり、個別の無線ＩＣタグごとに、それぞれを区別できるようなＩＤ情報が記憶されていない点が大きく異なる。
【００５０】
処理の流れについて図４を用いて説明する。
【００５１】
図４は本発明の衣類収納庫の処理の流れを示す図である。
【００５２】
まず、開閉スイッチ７により検知して、扉９が（開かれた後）、閉じられたとき（ステップ５１）、読取手段２で防虫剤２０ｂに添付された無線ＩＣタグ２１ｂから情報を読み取る。
【００５３】
例えば、図３で示すように、防虫剤２０ｂと、無線ＩＣタグ２１ｂが衣類収納庫１の庫内に初めて収納された場合には、読取手段２で読み取れた無線ＩＣタグ２１の情報は（ステップ５２）、記憶手段５には記憶されていないので（ステップ５３、ステップ５５）、その無線ＩＣタグ２１ｂの情報を記憶手段５に記憶する（ステップ５６）。
【００５４】
次に、時計手段３より、その時点での日付時刻情報を取得して、記憶手段５に記憶させておき（ステップ５７）、この日付時刻情報に一定の期間（例えば３ヶ月）を加えた日付時刻を有効期限として算出して（ステップ５８）、この有効期限情報を記憶手段５に記憶させておく（ステップ５８）。
【００５５】
もし、無線ＩＣタグ２１ｂの情報を基に、インターネット接続して、メーカなどが用意したサーバーから、タグの情報に対応した詳細情報を取得して、その詳細情報に、添付さ
れた防虫剤２０ｂの有効期限に関する情報が含まれているようであれば、その情報と、時計手段３との日付時刻情報とから、防虫剤２０ｂに最適な有効期限を算出して、記憶手段５に記憶することができる（ステップ５８）。
【００５６】
これにより、防虫剤２０ｂに固有の正確な有効期限が求められることになる。
【００５７】
次に、扉９が開かれるまで待機しておき（ステップ５９）、扉９が開かれた時点で（ステップ５９）、記憶手段５に記憶されている有効期限に関する情報と、時計手段３から得られた、その時点での日付時刻情報とを比較して、有効期限を過ぎてしまっているようであれば（ステップ６０）、報知手段６より使用者に対して防虫剤２０ｂの有効期限が切れていることを報知する（ステップ６１）。
【００５８】
有効期限が切れてしまった防虫剤２０ｂと、それに添付された無線ＩＣタグ２１ｂを交換する場合には、一旦、それらを衣類収納庫１の庫内から取り除いて扉９を閉じる必要がある。この点が実施の形態１で述べた場合とは異なる。
【００５９】
このときの処理の流れを説明すると、扉９が閉じられて（ステップ５１）、読取手段２で無線ＩＣタグ２１ｂの情報を読もうとするが（ステップ５２）、無線ＩＣタグ２１ｂが取り出されているので、読み取れないことになる（ステップ５２）。その結果、記憶されているのに、読めない無線ＩＣタグ２１ｂという判定をされることになる（ステップ５３）。それにより、一旦、交換するために取り出されたという判定の元、記憶手段５から無線ＩＣタグ２１ｂに関する情報を抹消する（ステップ５４）。
【００６０】
以上の操作により、まったく初期の状態に戻るので、これより先は、初めて無線ＩＣタグ２１ｂを衣類収納庫１に収納したときの処理流れと同様であり、ステップ５５以降の動作を行うことになる。
【００６１】
その他、報知内容などについては、実施の形態１で説明した通りなので、ここでは説明を省略する。
【００６２】
なお、所定の手続きを踏まないと新しい防虫剤に交換されたことを検知できないが、防虫剤を入れ替えたばかりなのに相変わらず期限切れを報知されて誤った操作に使用者は気がつくので、その時点で再度所定の手続き（一旦、防虫剤を取り除いて、扉を閉める）をやり直すことになる。
【００６３】
また、記憶済みの防虫剤がまだ有効期限に達していないにもかかわらず、新しい防虫剤（登録されていない新しいＩＤ情報）が検出された時には、有効期限前に防虫剤を交換しようとしている旨を報知して、使用者に注意を促すといったことも考えられ、無駄なく防虫剤を使用することが可能になる。
【００６４】
このように、実施の形態２では、無線ＩＣタグに、個別の無線ＩＣタグごとに、それぞれを区別できるようなＩＤ情報が記憶されていない場合でも、一旦、衣類収納庫から、有効期限の切れた防虫剤を取り出し、再度、新品の防虫剤を収納し直すということで、煩わしい作業無しに、交換状況と、その有効期限とを容易に登録することが出来る。
【００６５】
これらにより、実施の形態１と同様の効果と利便性を享受できることになる。
【００６６】
（実施の形態３）
最後に、図５を用いて扉９や衣類収納庫１の全体（側面パネル、背面パネル、底パネル、天井パネル）の構成について述べていく。
【００６７】
図５は、本発明の衣類収納庫の構成一例を示す図であるが、扉９や衣類収納庫１の全体に電磁波遮断物質（例えば金属）が添付されている点が図１と異なる点である。
【００６８】
図５において、衣類収納庫１の庫外に存在する防虫剤２０ｃに添付された無線ＩＣタグ２１ｃは、衣類収納庫１の内部に存在する読取手段とは通信できない構造になっている。
【００６９】
これは、衣類収納庫１と、扉９を電磁波遮断物質（例えば金属）で構成する、あるいはそのような物質で覆って、衣類収納庫１の外部とは通信できないようにしているからである。
【００７０】
庫外に無線ＩＣタグ２１ｃが存在した場合、その存在は無視されるべきであるが、通信距離が長いアクティブタグ型の無線ＩＣタグでは、このような構造にしておくことは非常に効果的である。
【００７１】
例えば、近距離でしか使えないとされるパッシブタグ型の無線ＩＣタグであっても、ＵＨＦ帯の無線ＩＣタグは条件によっては１０ｍ程度離れていても通信するので、このような無線ＩＣタグを用いる場合には、図５に示したような、衣類収納庫１と扉９を電磁波遮断物質で構成する、あるいは覆うとことは重要である。
【００７２】
一般的に用いられる１３．５６ＭＨｚ、あるいは、２．５４ＧＨｚ帯のものであれば数十センチメートル〜数メートル以下であるが、場合によっては衣類収納庫１の庫外に存在する無線ＩＣタグを読み取ってしまうことが想定される。
【００７３】
すなわち、たとえ数十センチでしか通信できないような場合でも、衣類収納庫１のそばに存在する、まったく関係のない無線ＩＣタグ（例えば衣類収納庫１の上に置かれた防虫剤に添付された無線ＩＣタグ）から情報を読み出してしまう可能性はあるので、このような場合でも前述のように電磁波遮断物質で構成することは、大変好ましい結果が期待できる。
【００７４】
当然ながら、前述のように電磁波遮断物質で構成した場合でも、扉９がきちんと閉まっている時に無線ＩＣタグを読み取ることが好ましいのはいうまでもない。
【００７５】
ここまでの説明では、読取手段２は電波を発して、その電波を受けた無線ＩＣタグは励起して情報を返答するパッシブ型の無線ＩＣタグを主に想定してきたが、この限りではなく、電池を内蔵したアクティブタグであっても同様の効果が得られる。
【００７６】
なお、無線ＩＣタグにユーザ書込み可能な記憶エリア（メモリー）が内蔵されていて、その記憶エリア（メモリー）に、さまざまな情報（例えば、メーカ名、品名、品番、製造日、生産国、成分、有効期限）を書き込んで利用するといった使用方法も考えられる（図示せず）。
【００７７】
読取手段２は、本体以外にアンテナが接続されることもあるので、そのアンテナ配置は、収納されたすべての衣類と防虫剤に添付された無線ＩＣタグと通信可能なように考慮すべきであり、アンテナを複数個設けて、読取可能な領域（通信領域）を拡大するといったことも大変有益である（図示せず）。
【００７８】
ここまでは、衣類収納庫について説明してきたが、必ずしも衣類収納庫に限らず、例えば、殺虫剤、洗浄フィルタのように寿命があって、定期的に交換するようなモノを扱うような、物品保存庫、冷蔵庫であっても、同様に効果を発揮できるものであり、衣類収納庫
に限定はしていない。
【００７９】
なお、本実施の形態で説明した手段は、ＣＰＵ（またはマイコン）、ＲＡＭ、ＲＯＭ、記憶・記憶装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記憶媒体に記憶、もしくはインターネットなどの通信回線を用いて配信することで新しい機能の配布・更新やそのインストール作業が簡単にできる。
【産業上の利用可能性】
【００８０】
以上のように、本発明は、日々の雑多な日用消耗品に対して、それを交換する度に、それが交換されたことを自動的に検知して、次回の交換時期にはそれを知らせることができるのであり、衣類収納庫においては、防虫剤の有効期限が切れたことを検知して、使用者に対して報知して、未然に大切な衣類のトラブルを防ぐことが期待できるようになった。
【図面の簡単な説明】
【００８１】
【図１】本発明の実施の形態１の衣類収納庫の構成を示す図
【図２】本発明の実施の形態１の衣類管理の動作一連の流れを示すフローチャート
【図３】本発明の実施の形態２の衣類収納庫の構成を示す図
【図４】本発明の実施の形態２の衣類管理の動作一連の流れを示すフローチャート
【図５】本発明の実施の形態３の衣類収納庫の構成を示す図
【符号の説明】
【００８２】
１  衣類収納庫
２  読取手段
３  時計手段
４  制御手段
５  記憶手段
６  報知手段
７  開閉スイッチ
８  開口部
９  扉
２０ａ、２０ｂ、２０ｃ  防虫剤
２１ａ  無線ＩＣタグ（タグの情報として個別ＩＤ情報を記憶）
２１ｂ  無線ＩＣタグ（タグの情報として個別ＩＤ情報ではなく、単なる製品種別情報を記憶）
２１ｃ  （庫外に置かれた）無線ＩＣタグ
【図１】
2008237459.tif 000003
【図２】
2008237459.tif 000004
【図３】
2008237459.tif 000005
【図４】
2008237459.tif 000006
【図５】
2008237459.tif 000007